(57)【要約】【課題】ロープの表面に付着した油がロープ接触部が離れた際に、油が糸状に引き伸ばされ、糸状油が切れる際に発生したミストの飛散を抑制する手段を設けたエレベーターロープ油飛散防止装置を提供することにある。【解決手段】シーブ３及びプーリー５のロープが巻きかけられた範囲の両端のミスト発生箇所であるロープ離れ際に、近接固定設置されるエアーフィルターを備え、発生したミストを付着させて周囲への飛散を抑制することが出来る。【選択図】図１
2007210706.tif 000002
【特許請求の範囲】
【請求項１】
潤滑または防錆用の油が塗布されたワイヤーロープのロープ油飛散防止カバーを備えたエレベーターにおいて、
ロープを巻きかけているシーブまたはプーリーへのロープの入り口または離脱口の少なくとも一方に、エアーフィルターを備えたことを特徴とするエレベーターロープ油飛散防止装置。
【請求項２】
請求項１記載のエレベーターロープ油飛散防止装置において、
エアーフィルターのシーブまたはプーリー側内側にロープに近接するようにＵ字形状にさせ、かつシーブまたはプーリー側を前記シーブまたは前記プーリの溝形状に合わせて近接可能な仕切り手段備えたことを特徴とするエレベーターロープ油飛散防止装置。
【請求項３】
請求項１と２記載のエレベーターロープ油飛散防止装置において、
ロープを巻きかけているシーブまたはプーリーへのロープの入り口または離脱口から上方向に設けられたエアーフィルターおよび仕切り手段の下部は、付着した油がシーブまたはプーリーのロープ溝に垂れるように突起構造としたことを特徴とするエレベーターロープ油飛散防止装置。
【請求項４】
請求項１と２記載のエレベーターロープ油飛散防止装置において、
ロープを巻きかけているシーブまたはプーリーへのロープの入り口または離脱口から下方向に設けられたエアーフィルターおよび仕切り手段の下部に、付着した油が左右どちらか一方へ垂れるように傾斜構造としたことを特徴とするエレベーターロープ油飛散防止装置。
【発明の詳細な説明】
【技術分野】
【０００１】
エレベーターロープに塗布した油がシーブおよびプーリーの周囲に飛散するのを防止するためのエレベーターロープ油飛散防止装置に関するものである。
【背景技術】
【０００２】
従来のエレベーターロープは、スチールワイヤー素線を複数本より合わせたストランドと、ロープ中心に麻縄からなる心線を設け、複数本のストランドを麻芯を中心により合わせて構成されている。
【０００３】
また、麻芯に含浸された油はシーブやプーリーを通過する際に遠心力や振動により周囲に飛散することが知られており、シーブまたはプーリーからの油飛散をロープ周辺にダクトと排気手段とエアーフィルターによりミストの周囲への飛散を防止する方法が提案されている（特許文献１参照）。
【０００４】
また、エレベーターロープでは麻芯に含浸された油がなくなった場合は、外部からロープ油などを補給する必要があり、給油タンクなどでロープに給油する方法も知られている。（特許文献２参照）。
【特許文献１】特開２００４−２０３５２３公報（段落０００２）
【特許文献２】特開平１０−２１２０８２号公報（段落０００１〜００２２）
【発明の開示】
【発明が解決しようとする課題】
【０００５】
しかしながら、上述のようにロープに油を補給した場合は遠心力、力や振動により飛散する場合はシーブおよびプーリーの周囲に配置した飛散防止カバーで、カバー外への油の飛散を防止できるが、ロープの表面に付着した油のうち、ロープとシーブまたはロープとプーリーが接触する部分の油がロープの移動により接触部が離れた際に、油が糸状に引き伸ばされ、この糸引き状になった油が切れる際に微量粒子となったものは風にながされて周囲に飛散してしまい、このミストの周囲への付着を防止するためには、特許文献１のように高価な排気手段と排気手段で空気を集めるためにロープ稼働する範囲のほぼ全域にエアーダクト等のカバーを必要とする問題がある。
【０００６】
本発明は、上記のような問題点を解決することを課題としてなされたものであり、微量粒子発生を抑制することが出来るエレベーターのロープ油飛散防止装置を得ることを目的とする。
【課題を解決するための手段】
【０００７】
この発明に掛かるエレベーターの油飛散防止装置は、エレベーターロープが巻き掛けられたシーブまたはプーリーのロープが巻きかけている部分の両端に、ロープ表面の油が接触部のはなれるところで発生するミストを発生箇所近傍に設けたエアーフィルターで油を付着させ周囲への飛散を防止するようにしている。さらに、ロープ油が糸状になることを防止するようにエアーフィルターの内側にロープと近接固定設置される仕切り手段を備えている。
【発明の効果】
【０００８】
以上説明したように、この発明のエレベーターの油飛散防止装置は、エレベーターロープが巻き掛けられたシーブ、プーリー、前記シーブまたはプーリーのロープが巻きかけている部分の両端に、
ロープ表面の油が回転部との接触部のはなれるところで発生するミストを発生箇所近傍に設けたエアーフィルターで油を付着させ、周囲へのミスト飛散を防止することが出来るため、ロープ移動範囲の全周囲にカバーを設けなくてもよく、排気手段を不要とすることができる。
【０００９】
さらにロープ表面のロープ油が接触部がはなれる際にロープ油が糸状になることを防止するように、近接固定設置した仕切り手段を備えたので、ロープ油が糸状になりはじめた際にロープ油を切断するため、油ミスト自体の発生を抑制することができるため、周辺への油付着にともなう清掃等の作業低減できる。
【発明を実施するための最良の形態】
【００１０】
以下、この発明の実施の形態を図面にもとづき説明する。
【００１１】
図１は、本発明の一実施の形態にかかるエレベーターのロープ油飛散防止装置の配置を示す図である。
【００１２】
図において機械室１内にはトラクションマシンが設置されている。
【００１３】
トラクションマシンには、かごおよび釣合い重りを昇降させる巻上機２が搭載されている。
【００１４】
巻上機２はモーターとモーターにより回転されるシープ３が取り付けられており、シーブ３にはロープ４が巻き掛けられている。
【００１５】
トラクションマシンはエレベーターロープ４を釣合い重りに導く滑車としてのプーリーが搭載されている。
【００１６】
シーブ３及びプーリー５には、ロープから転写された油が堆積すると油にかかる遠心力が油の付着力を超えた場合に飛散し、この周囲への拡散を防止するため飛散カバーが設置されている。
【００１７】
また、図１に示すようにシーブ３及びプーリー５のロープが巻きかけられた範囲の離れ際の両端近傍に固定手段７によりマシンビームにエアーフィルター９を固定設置している。
【００１８】
エレベーターロープに油を補給した場合は、図２に示すようにロープ４の表面に付着した油のうち、ロープ４とシーブ３またはロープ４とプーリー５が接触する部分のロープ油１０がシーブ３またはプーリー５の回転によりロープ４との接触が離れていく際に、接触部周辺のロープ油１０が糸状に引き伸ばされ、この時に糸引き状になったロープ油１０は、糸が切れた際に油の表面張力により細かな粒子の油ミスト１１として発生する。
【００１９】
この発生したミスト１１は離れた際のロープ速度と同じ速度での慣性エネルギーをもち、  その後はマシン周辺の風の影響をうけ周囲に飛散してしまう。この飛散したミスト１１をエアーフィルター９に付着させることにより、マシン周辺へのミスト１１の飛散を抑制することが出来る。
【００２０】
また、図３に示すように、
ロープ離れ際にロープ表面のロープ油１０がシーブ３およびプーリー５との接触がはなれる際にロープ油１０が糸状になる前に接触するように、近接固定設置される仕切り手段６を設け、ロープ油１０が細長い糸状に引き伸ばされる前に仕切り手段６で糸を切断するため、細かなミスト発生を抑制することが出来る。
【００２１】
また、図４に示すように、
仕切り手段６をシーブ３またはプーリー５の溝形状にあわせて、シーブ３またはプーリー５に近接させる構造とした場合でも、ロープとの接触部のロープ油１０が糸状にならずに仕切り手段６に触れることでミスト発生しないように出来る。
【００２２】
さらに、図５に示すように、
ロープを巻きかけているシーブ３またはプーリー５へのロープ４の入り口または離脱口から上方向に設けられたエアーフィルター９および仕切り手段６の下部形状をプーリー溝中心に合せて突起を設けている。
【００２３】
これによりエアーフィルター９および仕切り手段６に付着した油１２は下部の突起の頂点に集まるようにしており、仕切り手段６から垂れる油はプーリー溝中心に滴下し、プーリー溝に垂れた油はプーリー５の回転とともにロープ４に接触し、再度ロープに付着できるようにしている。
【００２４】
さらに、図６に示すように、
ロープを巻きかけているシーブ３またはプーリー５へのロープ４の入り口または離脱口から下方向に設けられたエアーフィルター９および仕切り手段６の下部形状を、付着した油１２が左右へ垂れるように傾斜構造としている。これにより、付着した油１２は下部回転体に滴下することなく所定の位置に油受けを設けることで、不用意な箇所への滴下による油汚れを防止できる。
【００２５】
このようにエアーフィルター９および仕切り手段６をシーブ３およびプーリー５のロープ離れ際に設置することで、周囲への油付着を防止し、ロープ周辺全てをカバーすることなく、ミストの飛散を防止しマシン周辺への油汚れを防止することが出来る。
【図面の簡単な説明】
【００２６】
【図１】本発明の一実施の形態にかかるロープ油飛散防止装置配置を示す図である。
【図２】本発明のミスト飛散を防止する手段を示す図である。
【図３】本発明の仕切り手段の１例を示す図である。
【図４】本発明の仕切り手段の他の１例を示す図である。
【図５】本発明の仕切り手段の下部油誘導手段の１例を示す図である。
【図６】本発明の仕切り手段の下部油誘導手段の１例を示す図である。
【符号の説明】
【００２７】
１  機械室
２  巻上機
３  シーブ
４  ロープ
５  プーリー
６  仕切り手段
７  仕切り固定手段
８  マシンビーム
９  エアーフィルター
１０  ロープ油
１１  油ミスト
【図１】
2007210706.tif 000003
【図２】
2007210706.tif 000004
【図３】
2007210706.tif 000005
【図４】
2007210706.tif 000006
【図５】
2007210706.tif 000007
【図６】
2007210706.tif 000008